(57)【要約】      （修正有）【課題】ユニット支持用の支柱の使用頻度を抑え、支柱に必要な設置スペースを抑制し、意匠上の自由度も高めたユニット式階段を提供する。【解決手段】ユニット式階段１は、互いに組み合わせ自在な直階段ユニット１０、廻り階段ユニット２０及び踊り場ユニット３０のうち、少なくとも２ユニットを含んでいる。直階段ユニット１０、廻り階段ユニット２０及び踊り場ユニット３０には、直上に配置されるユニットを載置するための載置部１４が設けられている。【選択図】図１
0003181630.tif 000002
【実用新案登録請求の範囲】
【請求項１】
互いに組み合わせ自在な直階段ユニット、廻り階段ユニット及び踊り場ユニットのうち、少なくとも２ユニットを含み、
前記直階段ユニット、前記廻り階段ユニット及び前記踊り場ユニットには、直上に配置される前記ユニットを載置するための載置部が設けられていることを特徴とするユニット式階段。
【請求項２】
請求項１記載のユニット式階段において、
前記直階段ユニットには、各段板の奥行きが全て同じである第一直階段ユニットと、最上段以外の段板が前記第一直階段ユニットの各段板の奥行きと同じであり、前記最上段の段板が前記第一直階段ユニットの各段板の奥行き以下である第二直階段ユニットとを含み、
前記第二直階段ユニットは、前記第一直階段ユニット、前記廻り階段ユニット及び前記踊り場ユニットのいずれか１つの上部に連結されるとともに上階の床に連結されることを特徴とするユニット式階段。
【請求項３】
請求項１又は２記載のユニット式階段を躯体内に設置したことを特徴とする階段室構造。
【請求項４】
請求項３記載の階段室構造において、
前記躯体における前記ユニット式階段が設置される部分の幅は、当該ユニット式階段の幅よりも大きく形成されていて、
前記躯体内に前記ユニット式階段を設置し、前記躯体と前記ユニット式階段との間の隙間に対して壁パネルが挿入されていることを特徴とする階段室構造。
【請求項５】
請求項３又は４記載の階段室構造において、
前記躯体内に前記ユニット式階段を設置する際に、前記ユニットを支える支持部材が着脱自在に配置されることを特徴とする階段室構造。
【考案の詳細な説明】
【技術分野】
【０００１】
本考案は、ユニット式階段及び階段室構造に関する。
【背景技術】
【０００２】
従来、階段を建設する際においては、踊り場ユニットや階段ユニットを予め工場で製造しておき、それらのユニットを現場で組み付けることで、現場での作業性を高めた技術が知られている（例えば特許文献１参照）。
【先行技術文献】
【特許文献】
【０００３】
【特許文献１】特開２０１０−１０６６３７号公報
【考案の概要】
【考案が解決しようとする課題】
【０００４】
しかしながら、特許文献１に記載の階段であると、ユニットを支持するための支柱が必要であるため、その支柱の設置スペースを確保しなければならない。特に、支柱で支持する場合、ユニットの両サイドに支柱を設けなければならず、意匠的にも制約があるのが実状である。
このため、本考案は、ユニット支持用の支柱の使用頻度を抑え、支柱に必要な設置スペースを抑制し、意匠上の自由度も高めることである。
【課題を解決するための手段】
【０００５】
請求項１に記載の考案に係るユニット式階段は、例えば図１〜図４に示すように、
互いに組み合わせ自在な直階段ユニット（第一直階段ユニット１０、第二直階段ユニット４０）、廻り階段ユニット２０及び踊り場ユニット３０のうち、少なくとも２ユニットを含み、
前記直階段ユニット（第一直階段ユニット１０）、前記廻り階段ユニット２０及び前記踊り場ユニット３０には、直上に配置される前記ユニット１０〜４０を載置するための載置部１４，２４，３３が設けられていることを特徴としている。
【０００６】
請求項１記載の考案によれば、直階段ユニット（第一直階段ユニット１０）、廻り階段ユニット２０及び踊り場ユニット３０に、直上に配置されるユニット１０〜４０を載置するための載置部１４，２４，３３が設けられているので、支柱がなくとも載置部にユニット１０〜４０を載置することでこれらのユニット１０〜４０を位置決めすることができる。したがって、ユニット支持用の支柱の使用頻度を抑えることができ、支柱に必要な設置スペースを抑制することが可能となる。
そして、支柱の使用頻度が抑えられれば、支柱に基づく意匠上の制約も少なくなり、意匠上の自由度を高めることができる。
【０００７】
請求項２記載の考案は、請求項１に記載のユニット式階段において、例えば図１，図３，図４に示すように、
前記直階段ユニットには、各段板１２の奥行きが全て同じである第一直階段ユニット１０と、最上段以外の段板４２が前記第一直階段ユニット１０の各段板１２の奥行きと同じであり、前記最上段の段板４２が前記第一直階段ユニット１０の各段板１２の奥行き以下である第二直階段ユニット４０とを含み、
前記第二直階段ユニット４０は、前記第一直階段ユニット１０、前記廻り階段ユニット２０及び前記踊り場ユニット３０のいずれか１つの上部に連結されるとともに上階の床１００に連結されることを特徴としている。
【０００８】
請求項２記載の考案によれば、第一直階段ユニット１０の全ての段板１２及び第二直階段ユニット４０の最上段以外の段板４２がいずれも同じ奥行きであるので、段板１２，４２の均一性を確保することができる。そして、上階の床１００に連結される第二直階段ユニット４０においては、最上段の段板４２の奥行きが他の段板の奥行きより小さくとも床１００と連続するために所定の奥行きを確保することができる。
【０００９】
請求項３記載の考案に係る階段構造は、例えば図１に示すように、
請求項１又は２記載のユニット式階段１を躯体２内に設置したことを特徴としている。
【００１０】
請求項３記載の考案によれば、請求項１に記載の考案と同等の作用効果を奏することができる。
【００１１】
請求項４記載の考案は、請求項３記載の階段室構造において、例えば、図２，図６，図７に示すように、
前記躯体２における前記ユニット式階段１が設置される部分の幅は、当該ユニット式階段１の幅よりも大きく形成されていて、
前記躯体２内に前記ユニット式階段１を設置し、前記躯体２と前記ユニット式階段１との間の隙間に対して壁パネル３が挿入されていることを特徴としている。
【００１２】
ここで、先に壁パネルを設置してから各ユニットを組み立てる場合には、壁パネルによって空間が仕切られているので各ユニットを前方或いは上方から設置箇所にはめ込む必要がある。このため、壁パネルが傷ついてしまうおそれがある。傷ついた場合、その箇所は露出し見栄えが損なわれる。
一方、請求項４記載の考案のように、躯体２内にユニット式階段１を設置し、躯体２とユニット式階段１との間に形成された隙間に対して壁パネル３を挿入するのであれば、挿入時に壁パネル３が傷ついたとしてもその部分はユニット式階段１によって覆われることになるので、見栄えが損なわれにくくなる。
【００１３】
請求項５記載の考案は、請求項３又は４記載の階段室構造において、例えば図５に示すように、
前記躯体２内に前記ユニット式階段１を設置する際に、前記ユニット１０〜４０を支える支持部材５０が着脱自在に配置されることを特徴としている。
【００１４】
請求項５記載の考案によれば、ユニット１０〜４０が着脱自在な支持部材によって支持されているので、当該ユニット１０〜４０が躯体２に固定されると、支持部材５０を取り外すことができる。したがって、支持部材５０を繰り返し使用することができる。
【考案の効果】
【００１５】
本考案によれば、ユニット支持用の支柱の使用頻度を抑えることで、支柱に必要な設置スペースを抑制し、意匠上の自由度も高めることができる。
【図面の簡単な説明】
【００１６】
【図１】本実施形態に係る階段室構造のレイアウトの一例を示す側面図である。
【図２】図１の階段室構造の上面図である。
【図３】本実施形態に係る廻り階段ユニットの概略構成を示す斜視図である。
【図４】本実施形態に係る踊り場ユニットの概略構成を示す斜視図である。
【図５】本実施形態に係る第一直階段ユニットを支持部材で支持した状態を示す斜視図である。
【図６】本実施形態に係る壁パネル設置前の状態を示す斜視図である。
【図７】本実施形態に係る壁パネル設置後の状態を示す斜視図である。
【図８】本実施形態に係るユニット式階段の変形例を示す上面図である。
【図９】本実施形態に係るユニット式階段の変形例を示す上面図である。
【考案を実施するための形態】
【００１７】
以下、図面を参照して本考案の実施の形態について説明する。
図１は本実施形態に係る階段室構造のレイアウトの一例を示す側面図であり、図２は図１の階段室構造の上面図である。
図１及び図２に示すように、階段室構造２００内に設けられるユニット式階段１は基準寸法であるモジュールＭに基づいて組み立てられた躯体２内に建て込まれている。躯体２とユニット式階段１との間には壁パネル３が介在している。
ここで、モジュールとは、建造物のあらゆる部分を一定の大きさの倍数関係に整えようとするときの基準となる寸法のことをいい、例えば１モジュールを基準寸法とすると、１Ｍ（モジュール）の長さとして、８００ｍｍ，９００ｍｍ，９１０ｍｍ，１０００ｍｍなどが使用される。本実施の形態においては、１Ｍ＝９１０ｍｍに設定されている。そして、躯体２においては、当該躯体２をなす角材４の中心線間の距離が１モジュールとなっている。
【００１８】
そして、ユニット式階段１は下から第一直階段ユニット１０、廻り階段ユニット２０、踊り場ユニット３０及び第二直階段ユニット４０という順で各ユニット１０〜４０が組み立てられることで形成されている。これら各ユニット１０〜４０もモジュールＭに基づいて形成されている。
【００１９】
第一直階段ユニット１０の左右方向の長さは、モジュールＭを基準に設定されている。一方、第一直階段ユニット１０の幅方向の長さは、躯体２をなす一対の角材４の内側の幅（角材４の一本分の幅だけモジュールＭから差し引いた長さ）から壁パネル３の厚み分小さくした値に設定されている。これにより、躯体２内に第一直階段ユニット１０を設置した後には、躯体２と第一直階段ユニット１０との間に壁パネル３の厚み分の隙間が形成される。
【００２０】
第一直階段ユニット１０は、側板をなす左右のささら桁（図１では片方のみ図示）１１と、これらささら桁１１間に、段階的に設けられ踏み板となる段板１２と、これら段板１２の間及び最下段の段板１２の下方に設けられた蹴込み板１３とを備えている。
ささら桁１１の上端部には、直上に配置される廻り階段ユニット２０を支持するための載置部１４が形成されている。
ここで、第一直階段ユニット１０の段板１２の奥行きｈ１は全て同じに設定されている。奥行きｈ１が、第一直階段ユニット１０の幅方向の長さの整数分の１とすると、その整数倍の段数の段板１２はいずれも同じ奥行きｈ１となる。しかしながら、設計上或いは規格上、割り切れる奥行きｈ１にできない場合には、全ての段板１２の奥行きｈ１を同じにし、最上段の段板１２をモジュールＭからはみ出すようにしてもよい。図１及び図２においては、最上段の段板１２がモジュールＭからはみ出た場合を例示している。
【００２１】
図３は、廻り階段ユニット２０の概略構成を示す斜視図である。図３に示すように、廻り階段ユニット２０は、一角を中心に扇状に広がるように段階的に設けられ踏み板となる段板２１と、これら段板２１の間及び最下段の段板２１の下方に設けられた蹴込み板２２と、段板２１及び蹴込み板２２を支持する支持台２３とを備えている。
支持台２３の上端部には、直上に配置される踊り場ユニット３０を支持するための載置部２４が形成されている。
廻り階段ユニット２０の左右方向の長さ及び前後方向の長さは、躯体２をなす一対の角材４の内側の幅（角材４の一本分の幅だけモジュールＭから差し引いた長さ）から壁パネル３の厚み分小さくした値に設定されている。これにより、躯体２内に廻り階段ユニット２０を設置した後には、躯体２と廻り階段ユニット２０との間に壁パネル３の厚み分の隙間が形成される。
【００２２】
図４は、踊り場ユニット３０の概略構成を示す斜視図である。図４に示すように、踊り場ユニット３０は、略正方形状に形成され踏み板となる段板３１と、段板３１の一端部下方に設けられた蹴込み板３２と、段板３１における蹴込み板３２に隣接する一辺に設けられ、直上に配置される第二直階段ユニット４０を支持するための載置部３３とを備えている。
踊り場ユニット３０の左右方向の長さは、角材４の半分の幅だけモジュールＭから差し引き、さらに壁パネル３の厚み分小さくした値に設定されている。一方、踊り場ユニット３０の前後方向の長さは、角材４の幅だけモジュールＭから差し引き、さらに壁パネル３の厚み分小さくした値に設定されている。これにより、躯体２内に踊り場ユニット３０を設置した後には、躯体２と踊り場ユニット３０との間に壁パネル３の厚み分の隙間が形成される。
【００２３】
第二直階段ユニット４０は、図１及び図２に示すように、側板をなす左右のささら桁（図１では片方のみ図示）４１と、これらささら桁４１間に、段階的に設けられ踏み板となる段板４２と、これら段板４２の間及び最下段の段板４２の下方に設けられた蹴込み板４３とを備えている。
ここで、第二直階段ユニット４０の最上段の段板４２以外の段板４２は第一直階段ユニット１０の各段板１２の奥行きｈ１と同じであり、最上段の段板４２は第一直階段ユニット１０の各段板１２の奥行きｈ１以下となっている。第二直階段ユニット４０は、最上段の段板４２が上階の床１００に連続するように連結されるものであるため、この最上段の段板４２の奥行きが小さくとも、床１００と連続することにより奥行きｈ１よりも広い踏み幅を確保することができる。
第二直階段ユニット４０の左右方向の長さは、モジュールＭを基準に設定されている。一方、第二直階段ユニット４０の幅方向の長さは、躯体２をなす一対の角材４の内側の幅（角材４の一本分の幅だけモジュールＭから差し引いた長さ）から壁パネル３の厚み分小さくした値に設定されている。これにより、躯体２内に第二直階段ユニット４０を設置した後には、躯体２と第二直階段ユニット４０との間に壁パネル３の厚み分の隙間が形成される。
【００２４】
次に、ユニット式階段１の施工方法について説明する。
作業者は、建物全体の躯体２を組み立てた後、ユニット式階段１の設置箇所に第一直階段ユニット１０を組み付ける。このとき、作業者は、図５に示すように、第一直階段ユニット１０を支持する支持部材５０を躯体２内に配置する。なお、図５においては、角柱状の支持部材５０が第一直階段ユニット１０の一方の上端部のみを支えている状態を図示しているが、第一直階段ユニット１０の他方の上端部を支える支持部材５０も設けられている。この支持部材５０は、第一直階段ユニット１０に対して着脱自在となっている。
【００２５】
次に、作業者は、第一直階段ユニット１０の載置部１４に対して廻り階段ユニット２０を載置する。このとき、作業者は、図示しない支持部材を躯体２内に配置して、廻り階段ユニット２０が安定するように、例えば載置部１４で支持されていない側の廻り階段ユニット２０の端部を当該支持部材によって支持する。この支持部材も廻り階段ユニット２０に対して着脱自在となっている。
【００２６】
そして、作業者は、廻り階段ユニット２０の載置部２４に対して踊り場ユニット３０を載置する。このときにおいても、作業者は、図示しない支持部材を躯体２内に配置して、踊り場ユニット３０が安定するように、例えば載置部２４で支持されていない側の踊り場ユニット３０の端部を当該支持部材によって支持する。この支持部材も踊り場ユニット３０に対して着脱自在となっている。
【００２７】
その後、作業者は、踊り場ユニット３０の載置部３３に第二直階段ユニット４０を載置する。このとき、作業者は、第二直階段ユニット４０の上端部と、上階の床１００の下に設けられている梁１０１とを連結し、両者を固定する。
【００２８】
各ユニット１０〜４０の仮組みが完了すると、図６に示すようにユニット式階段１側から躯体２が露出した状態となっている。ここで、上述したように各ユニット１０〜４０と躯体２との間には壁パネル３の厚み分だけ隙間が形成されているので、この隙間に対して作業者は例えば石膏ボードなどの壁パネル３を上から差し込み、図７に示すように躯体２を壁パネル３によって覆う。
ここで、第一直階段ユニット１０及び第二直階段ユニット２０の両側に壁パネル３を挿入するときは、階段ユニット１０，２０を一側に寄せた状態で隙間を大きくしてから他側に壁パネル３を挿入した後に、階段ユニット１０，２０をこの壁パネル３側に寄せて一側にもう１つの壁パネル３を挿入すれば、壁パネル３を挿入しやすく傷つけにくい。
なお、壁パネル３は、石膏ボードや構造用合板等の建築物の壁部分を形成する面材であり、その用途や素材・厚みは限定されない。特に、準耐火建物等の連続した耐火壁が求められる場合などは、壁パネル３を耐火性能のある石膏ボードとすれば、簡易な方法で容易に連続した耐火壁を施工できる。
【００２９】
その後、作業者は、各ユニット１０〜４０を、壁パネル３を介して躯体２にビス留めすることで、各ユニット１０〜４０と壁パネル３とを躯体２に固定する。固定後、作業者は、各ユニット１０〜３０を支持していた支持部材５０を取り除く。
これによりユニット式階段１の組み立てが完了する。
【００３０】
このように、ユニット式階段１は、第一直階段ユニット１０、廻り階段ユニット２０、踊り場ユニット３０及び第二直階段ユニット４０から構成されている。第一直階段ユニット１０、廻り階段ユニット２０、踊り場ユニット３０及び第二直階段ユニット４０は互いに組み合わせ自在であり、これら各ユニット１０〜４０を少なくとも１つずつ備えたユニット式階段としてセット化されている。ユニット式階段１の組み立て前においては、ユニット式階段から、階段１の形状に応じて必要なものを選別して組み立てるようになっている。
また、直上に配置される他のユニット１０〜４０を載置するための載置部１４，２４，３３が、第一直階段ユニット１０、廻り階段ユニット２０及び踊り場ユニット３０に設けられているので、組み立て時の位置合わせが容易となり、組み立て作業の効率化を図ることができる。
そして、従来のようにユニット支持用の支柱がなくとも載置部にユニット１０〜４０を載置することでこれらのユニット１０〜４０を位置決めすることができる。したがって、ユニット支持用の支柱の使用頻度を抑えることができ、支柱に必要な設置スペースを抑制することが可能となる。そして、支柱の使用頻度が抑えられれば、支柱に基づく意匠上の制約も少なくなり、意匠上の自由度を高めることができる。
【００３１】
そして、ユニット式階段１に備わる各ユニット１０〜４０の組み合わせを変更すれば、従来よりも多岐に亘る意匠のユニット式階段１を組み立てることが可能である。
図８及び図９は、ユニット式階段１から形成可能な階段のその他の例を示す上面図である。図８においては、下から、廻り階段ユニット２０、第一直階段ユニット１０及び第二直階段ユニット４０という順で組み立てられたユニット式階段１Ａを示している。また、図９においては、廻り階段ユニット２０を４つ組み立てることで、螺旋状に形成された階段１Ｂを示している。
このように、第一直階段ユニット１０、廻り階段ユニット２０、踊り場ユニット３０及び第二直階段ユニット４０を少なくとも１つずつ備えたユニット式階段１を用いれば、階段自体の意匠上の自由度を高めることができ、設計時の顧客の選択肢を拡げることができる。
【００３２】
また、第一直階段ユニット１０の全ての段板１２及び第二直階段ユニット４０の最上段以外の段板４２がいずれも同じ奥行きｈ１であるので、段板１２，４２の均一性を確保することができる。そして、上階の床１００に連結される第二直階段ユニット４０においては、最上段の段板４２の奥行きが他の段板１２，４２の奥行きより小さくとも床１００と連続するために所定の奥行きを確保することができる。
【００３３】
また、ユニット式階段１をなすユニット１０〜４０を躯体２内に設置し、躯体２とユニット１０〜４０との間に形成された隙間に対して壁パネル３を挿入するのであれば、挿入時に壁パネル３が傷ついたとしてもその部分は各ユニット１０〜３０によって覆われることになるので、見栄えが損なわれにくくなる。
また、ユニット１０〜４０が躯体２に固定されると、支持部材５０が取り除かれるので、支持部材５０を繰り返し使用することができる。
【００３４】
なお、上記実施形態では、直階段ユニットに、種類の異なる第一直階段ユニット１０と第二直階段ユニット４０とが含まれている場合を例示して説明したが、設計上、全ての段板１２，４２の奥行きを均一にできるのであれば、両者を統合して１つの直階段ユニットとすることも可能である。
また、上記実施形態では、角柱状の支持部材５０を例示して説明したが、各ユニット１０〜４０を支持できるのであればどのような形状でも構わない。例えば枠状の支持部材などが挙げられる。
【符号の説明】
【００３５】
１      ユニット式階段
２      躯体
３      壁パネル
１０      第一直階段ユニット（直階段ユニット）
１２      段板
１３      蹴込み板
１４      載置部
２０      廻り階段ユニット
２４      載置部
３０      踊り場ユニット
３３      載置部
４０      第二直階段ユニット（直階段ユニット）
４２      段板
５０      支持部材
１００      床
２００      階段室構造
【図１】
0003181630.tif 000003
【図２】
0003181630.tif 000004
【図３】
0003181630.tif 000005
【図４】
0003181630.tif 000006
【図５】
0003181630.tif 000007
【図６】
0003181630.tif 000008
【図７】
0003181630.tif 000009
【図８】
0003181630.tif 000010
【図９】
0003181630.tif 000011